(57)【要約】      （修正有）【課題】人の出入り口を設けたネットを有する建物の出入り部開閉装置を提供する。【解決手段】建物の出入り部開閉装置１は、建物の出入り開口部を昇降自在な、正面視、略四角形のネット２で開閉する建物の出入り部の開閉装置であって、ネット２は、複数枚であり、この複数枚のネット２１、２２の何れも、正面視、略四角形で、複数枚のネット２１、２２の内、隣接する一方のネット２１の縦方向の右端部が隣接する他方のネット２２の縦方向の左端部を乗り越えて重なると共に、一方のネット２１の下方部と他方のネット２２の下方部とを連結体３により連結し、複数枚のネット２１、２２の下方に取り付けられた重し部材と、隣接する一方のネット２１の縦方向の右端部が隣接する他方のネット２２の縦方向の左端部を乗り越えて重なる部位の内、連結体３より上に位置する前記重なる部位は、人の出入りを許容するように接合されていない。【選択図】図５
2009074298.tif 000002
【特許請求の範囲】
【請求項１】
建物の出入り開口部を昇降自在な、正面視、略四角形のネットで開閉する建物の出入り部開閉装置であって、
前記ネットは、複数枚であり、この複数枚のネットの何れも、正面視、略四角形で、
前記複数枚のネットの内、隣接する一方の前記ネットの縦方向の右端部が隣接する他方の前記ネットの縦方向の左端部を乗り越えて重なると共に、前記一方の前記ネットの下方部と前記他方の前記ネットの下方部とを連結体により連結し、
前記複数枚のネットの下方に取り付けられた重し部材と、  
前記隣接する一方の前記ネットの縦方向の右端部が前記隣接する他方の前記ネットの縦方向の左端部を乗り越えて重なる部位の内、前記連結体より上に位置する前記重なる部位は、人の出入りを許容するように接合されていない
ことを特徴とする建物の出入り部開閉装置。
【請求項２】
重し部材は、単一又は複数である
ことを特徴とする請求項１記載の建物の出入り部開閉装置。  
【請求項３】
建物の出入り開口部を昇降自在な、正面視、略四角形のネットで開閉する建物の出入り部開閉装置であって、
前記ネットは、複数枚であり、この複数枚のネットの何れも、正面視、略四角形で、
前記複数枚のネットの内、隣接する一方の前記ネットの縦方向の右端部が隣接する他方の前記ネットの縦方向の左端部を乗り越えて重なるように構成すると共に、前記一方の前記ネットの下方部と前記他方の前記ネットの下方部とを連結しないでフリーとし、
前記一方のネットの下方に取り付けられた第１の重し部材と、
前記他方のネットの下方に取り付けられた第２の重し部材と、
を備えていることを特徴とする建物の出入り部開閉装置。
【請求項４】
建物の出入り開口部を昇降自在な、正面視、略四角形のネットで開閉する建物の出入り部開閉装置であって、
前記ネットは、複数枚であり、この複数枚のネットの何れも、正面視、略四角形で、
前記複数枚のネットの内、隣接する一方の前記ネットの縦方向の右端部が隣接する他方の前記ネットの縦方向の左端部を乗り越えて重なるように構成すると共に、前記一方の前記ネットの下方部と前記他方の前記ネットの下方部とを着脱自在な連結手段にて連結し、
前記一方のネットの下方に取り付けられた第１の重し部材と、
前記他方のネットの下方に取り付けられた第２の重し部材と、
を備えていることを特徴とする建物の出入り部開閉装置。
【発明の詳細な説明】
【技術分野】
【０００１】
本発明は、建物の出入り部開閉装置に係り、特に、人の出入り口を設けたネットを有する建物の出入り部開閉装置に関する。
【０００２】
本件発明者は、先に、シート状部材を一々上げなくても、簡易に人が出入りすることができる建物の出入り部開閉装置を提供した（例えば、特許文献１参照）。
これは、建物の出入り部を開閉するシート状部材に、人が出入りできる大きさの切り込み部と、該切り込み部を開閉するファスナーとをそれぞれ設けたものである。
【０００３】
【特許文献１】実用新案登録第３１２６１９３号公報
【発明の開示】
【発明が解決しようとする課題】
【０００４】
しかしながら、上記シート状部材が網状で形成されたネットの場合、特に、ネットの目が大きくなると、上記のような切り込み部、ファスナー等を設けると、ネットの強度が低下し、しかも、ネットに腰がないため、ファスナーによる開閉動作がしづらいという問題点があった。
【０００５】
本発明は、上記の点を考慮してなされた建物の出入り部開閉装置を提供することを目的とする。
【課題を解決するための手段】
【０００６】
本発明の建物の出入り部開閉装置は、建物の出入り開口部を昇降自在な、正面視、略四角形のネットで開閉する建物の出入り部開閉装置であって、前記ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なると共に、前記一方の前記ネットの下方部と前記他方の前記ネットの下方部とを連結体により連結し、前記複数枚のネットの下方に取り付けられた重し部材と、前記隣接する一方の前記ネットの縦方向の右端部が前記隣接する他方の前記ネットの縦方向の左端部を乗り越えて重なる部位の内、前記連結体より上に位置する前記重なる部位は、人の出入りを許容するように接合されていないものである。
【０００７】
また、請求項２記載の建物の出入り部開閉装置は、請求項１記載の建物の出入り部開閉装置において、重し部材は、単一又は複数である。
【０００８】
また、請求項３記載の建物の出入り部開閉装置は、建物の出入り開口部を昇降自在な、正面視、略四角形のネットで開閉する建物の出入り部開閉装置であって、前記ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なるように構成すると共に、前記一方の前記ネットの下方部と前記他方の前記ネットの下方部とを連結しないでフリーとし、前記一方のネットの下方に取り付けられた第１の重し部材と、前記他方のネットの下方に取り付けられた第２の重し部材とを備えているものである。
【０００９】
また、請求項４記載の建物の出入り部開閉装置は、建物の出入り開口部を昇降自在な、正面視、略四角形のネットで開閉する建物の出入り部開閉装置であって、前記ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なるように構成すると共に、前記一方の前記ネットの下方部と前記他方の前記ネットの下方部とを着脱自在な連結手段にて連結し、前記一方のネットの下方に取り付けられた第１の重し部材と、前記他方のネットの下方に取り付けられた第２の重し部材とを備えているものである。
【発明の効果】
【００１０】
請求項１記載の建物の出入り部開閉装置によれば、建物の出入り開口部を昇降自在な、正面視、略四角形のネットで開閉すると共に、ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なる構成としているため、ハト等の鳥、又は、鼠、猫、犬等の小動物の侵入を防止しながら、且つ、前記複数枚のネットの内、隣接する一方の前記ネットの下方部と隣接する前記他方の前記ネットの下方部とを連結体により連結し、前記隣接する一方の前記ネットの縦方向の右端部が前記隣接する他方の前記ネットの縦方向の左端部を乗り越えて重なる部位の内、前記連結体より上に位置する前記重なる部位を、人の出入りを許容するように接合しない簡易な手段で、人の出入り口を形成することができ、更に、弛みがちなネットを分割して構成するため、建物の出入り開口部を弛みを防止してネットを張ることができ、見映えをも向上させることができる。
【００１１】
また、請求項３記載の建物の出入り部開閉装置によれば、建物の出入り開口部を昇降自在な、正面視、略四角形のネットで開閉すると共に、ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なる構成としているため、ハト等の鳥、又は、鼠、猫、犬等の小動物の侵入を防止しながら、且つ、前記複数枚のネットの内、前記一方の前記ネットの下方部と前記他方の前記ネットの下方部とを連結しないでフリーとなっているため、簡易な手段で、請求項１記載のように連結部を跨がないで人の出入り口を形成することができ、更に、弛みがちなネットを分割して構成するため、建物の出入り開口部を弛みを防止してネットを張ることができ、見映えをも向上させることができる。
【００１２】
また、請求項４記載の建物の出入り部開閉装置によれば、建物の出入り開口部を昇降自在な、正面視、略四角形のネットで開閉すると共に、ネットは、複数枚であり、この複数枚のネットの何れも、正面視、略四角形で、前記複数枚のネットの内、隣接する一方の前記ネットの縦方向の右端部が隣接する他方の前記ネットの縦方向の左端部を乗り越えて重なる構成としているため、ハト等の鳥、又は、鼠、猫、犬等の小動物の侵入を防止しながら、且つ、前記複数枚のネットの内、前記一方の前記ネットの下方部と前記他方の前記ネットの下方部とを着脱自在な連結手段にて連結するため、簡易な手段で、連結部を外し、跨がないで人の出入り口を形成することができ、更に、弛みがちなネットを分割して構成するため、建物の出入り開口部を弛みを防止してネットを張ることができ、見映えをも向上させることができる。
【発明を実施するための最良の形態】
【００１３】
本発明の一実施例である建物の出入り部開閉装置を図面を参照して説明する。
（実施例１）
図１〜図７において、１は建物の出入り部開閉装置で、建物の出入り部開閉装置１は、建物の出入り開口部を昇降自在な、正面視、略四角形のネット２で開閉するもので、建物の出入り部開閉装置１には、ネット２の他にネット２の前、又は後に金属製のシャッター（図示せず）が併設されている。
【００１４】
建物の出入り部開閉装置１は、概略的に、ネット２と、このネット２の両端部を案内する溝部を有した左側フレーム１２、右側フレーム１３と、ネット２を巻き取るドラム部１４とから、構成されている。
１５は、ドラム部１４を覆う覆い部である。ドラム部１４の回転は、図示しないチェーン等を使って手動、又は、モータ（図示せず）によって正逆に回転して、ネット２をドラム部１４に巻き取るようにしている。
【００１５】
ネット２は、建物の中へ風を通すように通気性を有し、ネット２は、例えば、複数枚で構成され、この複数枚のネット２１、２２の何れも、正面視、略四角形となっている（図１参照）。ネット２１、２２は、網目の周囲を該網目を構成する部材より剛性のある横材２１ａ、２２ａと縦材２１ｂ（図７参照）、２２ｂを有している。
ネット２１、２２の網目の大きさは、ハト等の鳥、又は、鼠、猫、犬等の小動物に応じて、適宜選定するもので、上記網目は、例えば、約１０ｍｍ×約１０ｍｍ〜約６０ｍｍ×約６０ｍｍであり、好ましくは、約２０ｍｍ×約２０ｍｍ〜約３０ｍｍ×約３０ｍｍである。
複数枚のネット２１、２２の内、隣接する一方のネット２１の縦方向の右端部（２１ｂ）が隣接する他方のネット２２の縦方向の左端部（２２ｂ）を乗り越えて重なる（重なる寸法は、例えば、約２０ｃｍ程度）と共に、一方のネット２１の下方部と他方のネット２２の下方部とを連結体３により連結するようになっている。連結体３とネット２１の下方部とネット２２の下方部とは、例えば、縫製により一体化されている。
また、隣接する一方のネット２１の縦方向の右端部（２１ｂ）が隣接する他方のネット２２の縦方向の左端部（２２ｂ）を乗り越えて重なる部位の内、連結体３より上に位置する重なる部位は、人の出入りを許容するように接合されないようにしてある。
なお、図１〜図５において、ネット２を２１、２２と二つに分割して構成したが、本願発明にあっては、これに限らず、建物の出入り開口部の大きさに応じて、適宜の大きさに、例えば、三分割、四分割等に分割するようにしても良い。  
【００１６】
また、図４に示す４は、複数枚のネット２１、２２の下方に取り付けられた重し部材で、より詳しくは、重し部材４は、複数枚のネット２１、２２の下方に取り付けられた連結体３内に設けられている。連結体３に取り付けられた重し部材４は、長手形状をなし、重し部材４は、ネット２１、２２の下方に位置し、ネット２１、２２の幅方向に亘って設けられている。
この重し部材４は、例えば、金属製部材で形成され、管部材でも良く、また、鉄製のフラットバーでも良い。また、重し部材４は、図１に示すように、単一でも良く、ネット２１、２２に対応して、分割して、複数としても良い。なお、重し部材４の周囲には、スポンジ等の緩衝部材５が取り付けられている。
また、重し部材４は、連結体３に取り付けられるようにしたが、本願発明はこれに限らず、連結体３それ自体を重いもので構成（図示せず）しても良いし、
また、重し部材４を連結体３に設けず、複数枚のネット２１、２２の下方に直接、粘着テープ等を介在して取り付けるようにしても良い。要は、重し部材４の重みによりネット２の弛みが少なくなるように張れば良い。
【００１７】
従って、上述した建物の出入り部開閉装置１によれば、建物の出入り開口部を昇降自在な、正面視、略四角形のネット２（２１、２２）で開閉すると共に、ネット２（２１、２２）は、複数枚であり、この複数枚のネット２（２１、２２）の何れも、正面視、略四角形で、複数枚のネット２（２１、２２）の内、隣接する一方のネット２１の縦方向の右端部２１ｂが隣接する他方のネット２２の縦方向の左端部２２ｂを乗り越えて重なる構成としているため、ハト等の鳥、又は、鼠、猫、犬等の小動物等の侵入を防止しながら、且つ、複数枚のネット２（２１、２２）の内、隣接する一方のネット２１の下方部と隣接する他方のネット２２の下方部とを連結体３により連結し、隣接する一方のネット２１の縦方向の右端部２１ｂが隣接する他方のネット２２の縦方向の左端部２２ｂを乗り越えて重なる部位の内、連結体３より上に位置する前記重なる部位を、人の出入りを許容するように接合しない簡易な手段で、人の出入り口を形成することができ（図５参照）、更に、弛みがちなネット２をネット２１、２２と分割して構成するため、建物の出入り開口部を弛みを防止してネット２（２１、２２）を張ることができ、見映えをも向上させることができる。
【００１８】
（実施例２）
上述した実施例の重し部材４は、変形が容易でない部材で形成したが、本願発明にあっては、これに限らず、例えば、図８に示すように、チェーン等の変形が容易な重し部材４’で構成するようにしても良い。
【００１９】
（実施例３）
また、上述した実施例では、ネット２（２１、２２）から出入りする際、連結体３を、図５に示すように、跨がねばならない不具合を生じるが、次に示す実施例はかかる不具合を解消したものである（図９乃至図１４参照）。なお、上述した実施例と同一部分に同一符号を付して一部その説明を省略する。
【００２０】
図９乃至図１２記載の建物の出入り部開閉装置１にあっては、複数枚のネット２（２１、２２）の内、隣接する一方のネット２１の縦方向の右端部（２１ｂ）が隣接する他方のネット２２の縦方向の左端部（２２ｂ）を乗り越えて重なるように構成すると共に、図１０乃至図１２に示すように、一方のネット２１の下方部と他方のネット２２の下方部とを連結しないでフリーとなっている。
なお、４１は一方のネット２１の下方に取り付けられた第１の重し部材で、４２は他方のネット２２の下方に取り付けられた第２の重し部材である。第１の重し部材４１の取り付けは、例えば、一方のネット２１の下方部を覆う第１の覆い部材３１に内在して取り付けると共に、第１の覆い部材３１と一方のネット２１の下方部とを、例えば、縫製により取り付ける。
また、第１の重し部材４１は、第１の覆い部材３１に取り付けられるようにしたが、本願発明はこれに限らず、第１の覆い部材３１それ自体を重いもので構成（図示せず）しても良いし、また、第１の重し部材４１を第１の覆い部材３１内に設けず、ネット２１の下方に直接、粘着テープ等を介在して取り付けるようにしても良い。要は、第１の重し部材４１の重みによりネット２１の弛みが少なくなるように張れば良い。
また、第２の重し部材４２の取り付けは、第１の重し部材４１の取り付けと同様に、他方のネット２２の下方部を覆う第２の覆い部材３２に内在して取り付けると共に、第２の覆い部材３２と他方のネット２２の下方部とを、例えば、縫製により取り付ける。
また、第２の重し部材４２は、第２の覆い部材３２に取り付けられるようにしたが、本願発明はこれに限らず、第２の覆い部材３２それ自体を重いもので構成（図示せず）しても良いし、また、第２の重し部材４２を第２の覆い部材３２内に設けず、ネット２２の下方に直接、粘着テープ等を介在して取り付けるようにしても良い。要は、第２の重し部材４２の重みによりネット２２の弛みが少なくなるように張れば良い。
また、図１２に示すように、第１の重し部材４１の周囲には、スポンジ等の第１の緩衝部材５１が、第２の重し部材４２の周囲には、スポンジ等の第２の緩衝部材５２が、それぞれ取り付けられている。
【００２１】
この実施例にあっては、複数枚のネット２１、２２の内、一方のネット２１の下方部と他方のネット２２の下方部とを連結しないでフリーとなっているため、簡易な手段で、上述した連結部３を跨がないで人の出入り口を形成することができる（図１１参照）。
【００２２】
（実施例４）
また、上述した実施例では、一方のネット２１の下方部と他方のネット２２の下方部とを連結しないで、常時フリーとなっているため、出入り口が風等により広がり、ネット２１とネット２２との間に大きな開口部が形成され、該開口部よりハト等の鳥、又は、鼠、猫、犬等の小動物が侵入する不具合が生じる。
次に示す実施例はかかる不具合を解消したものである（図１３及び図１４参照）。なお、上述した実施例と同一部分に同一符号を付して一部その説明を省略する。
複数枚のネット２（２１、２２）の内、隣接する一方のネット２１の下方部と他方のネット２２の下方部とを着脱自在な連結手段６にて連結する。
この連結手段６は、例えば、図１３に示すように、第１の覆い部材３１内に第１の磁石６１、第２の覆い部材３２内に第２の磁石６２、をそれぞれ設け、適宜に連結・非連結としても良く、また、第１の磁石６１、第２の磁石６２の内の何れか一方が磁石で、他方が磁性体でも良く、また、第１の磁石６１、第２の磁石６２は、それぞれ、第１の覆い部材３１、第２の覆い部材３２の内方に設けたが、本願発明はこれに限らず、第１の覆い部材３１、第２の覆い部材３２の外側に付着するように設けても良く、更に、図１４に示すように、第１の覆い部材３１の外側に第１の面状ファスナー６３、第２の覆い部材３２の外側に第２の面状ファスナー６４をそれぞれ設けるようにしても良い。
この実施例の建物の出入り部開閉装置１にあつては、ネット２（２１、２２）を介して出入りする必要があるときには、連結手段６（６１、６２又は６３、６４）を外せば、跨がないで人の出入り口を形成することができ、出入りする必要がないときには、連結手段６（６１、６２又は６３、６４）により、隣接する一方のネット２１の下方部と他方のネット２２の下方部とを連結すれば良い。
【図面の簡単な説明】
【００２３】
【図１】図１は、本発明の建物の出入り部開閉装置の概略的正面図である。
【図２】図２は、図１の２−２線による概略的断面図である。
【図３】図３は、図１の３−３線による概略的断面図である。
【図４】図４は、図１の４−４線による概略的断面図である。
【図５】図５は、図１の連結体より上に位置する一方のネットと他方のネットとの重なる部位の接合されていない部位より人が出る状態を示す概略的斜視図である。
【図６】図６は、図１の一方のネットの一部の概略的一部正面図である。
【図７】図７は、図６の一部を拡大して示す概略的一部拡大正面図である。
【図８】図８は、図１の重し部材と異なる他の重し部材を使用した建物の出入り部開閉装置の概略的正面図である。
【図９】図９は、図８の建物の出入り部開閉装置と異なる他の実施例の建物の出入り部開閉装置の概略的正面図である。
【図１０】図１０は、図９の矢印方向Ｅから見た建物の出入り部開閉装置の概略的一部斜視図である。
【図１１】図１１は、図９の一方のネットと他方のネットとの重なる部位の接合されていない部位より人が出る状態を示す概略的斜視図である。
【図１２】図１２は、図９の１２−１２線による概略的断面図である。
【図１３】図１３は、図１２の実施例と異なる他の実施例の概略的断面図である。
【図１４】図１４は、図１３の実施例と異なる他の実施例の概略的断面図である。
【符号の説明】
【００２４】
１        建物の出入り部開閉装置
２        ネット
３        連結体
４        重し部材
２１        一方のネット
２２        他方のネット
【図１】
2009074298.tif 000003
【図２】
2009074298.tif 000004
【図３】
2009074298.tif 000005
【図４】
2009074298.tif 000006
【図５】
2009074298.tif 000007
【図６】
2009074298.tif 000008
【図７】
2009074298.tif 000009
【図８】
2009074298.tif 000010
【図９】
2009074298.tif 000011
【図１０】
2009074298.tif 000012
【図１１】
2009074298.tif 000013
【図１２】
2009074298.tif 000014
【図１３】
2009074298.tif 000015
【図１４】
2009074298.tif 000016